(57)【要約】【課題】集中管理装置を必要としないで駐車場を予約すると共に、予約操作を車内から行うことができる利便性の高い駐車場予約システムを提供する。【解決手段】図示しない非接触ＩＣカードとの間で情報の授受を行なうＩＣカードリーダライタ１、駐車場の予約情報や入出庫情報を入力する操作部２、前記予約情報や入出庫情報の内容を表示する表示部４、無線送受信手段との情報の送受信を行う無線部６、これら全ての制御を司る制御部３、及びアンテナ５を有する車載リモコン１００と、この車載リモコン１００との間で情報の授受を行なう無線部７、そこに設置されたアンテナ８、及び無線部７の制御と駐車場端末機との情報の制御を司る制御部９を有する無線送受信装置１１０と、予約情報入力装置、駐車制御装置、通信装置、及び予約表示手段を備えた駐車場端末機１０と、から構成されている。【選択図】　　　図１
2004127137.tif 000002
【特許請求の範囲】
【請求項１】
一つの駐車場から他の駐車場に対して予約を行って駐車スペースを確保する駐車場予約システムにおいて、
前記各駐車場は、希望する駐車場を指定するための予約情報を入力すると共に他の駐車場における予約の可否を表示する予約情報入力装置と、各駐車スペースの管理を行う駐車制御装置と、前記予約情報入力装置から回線を介して他の駐車場との間で情報の授受を行う通信装置と、前記駐車制御装置によって稼働制御され駐車スペースが予約済みであることを表示する予約表示手段と、を備え、
前記予約情報入力装置は、前記駐車場を予約した車両との間で情報の授受を行う無線送受信手段を更に備え、該無線送受信手段若しくは手動入力手段に基づいて入力された予約情報を、前記通信装置と回線を介して指定された他の駐車場の駐車制御装置に送り、駐車スペースの空き状況に基づいて前記駐車制御装置から予約の可否情報を返送すると共に、予約が可能で前記駐車制御装置が予約を受け付けた場合は、前記予約表示手段を稼動させて予約された空き駐車スペースを確保することを特徴とする駐車場予約システム。
【請求項２】
一つの駐車場から他の駐車場に対して予約を行って駐車スペースを確保する駐車場予約システムにおいて、
前記各駐車場は、前記駐車場を予約した車両との間で情報の授受を行う無線送受信手段と、各駐車スペースの管理を行う駐車制御装置と、前記無線送受信手段から回線を介して他の駐車場との間で情報の授受を行う通信装置と、を備え、
前記無線送受信手段は、前記車両からの情報に基づいて入力された予約情報を、前記通信装置と回線を介して指定された他の駐車場の駐車制御装置に送り、駐車スペースの空き状況に基づいて前記駐車制御装置から予約の可否情報を返送すると共に、予約が可能で前記駐車制御装置が予約を受け付けた場合は、前記予約表示手段を稼動させて予約された空き駐車スペースを確保することを特徴とする駐車場予約システム。
【請求項３】
前記車両は、非接触ＩＣカードとの間で情報の授受を行なうＩＣカードリーダライタと、前記駐車場の予約情報若しくは他の情報を入力する操作部と、入力操作の内容を表示する表示部と、前記無線送受信手段との間で情報の授受を行う無線部と、前記全ての制御を司る制御部と、を有する車載リモコンを備え、
前記車載リモコンにより所定の操作を行うことにより当該駐車場の予約、若しくは入出庫を可能としたことを特徴とする請求項１又は２に記載の駐車場予約システム。
【請求項４】
前記車載リモコンは、微弱無線、赤外線、及び特定小電力無線の何れかにより情報の授受を行うことを特徴とする請求項３に記載の駐車場予約システム。
【請求項５】
前記無線送受信手段は、当該駐車場の車両進入エリア毎に個別に設置されていることを特徴とする請求項１又は３に記載の駐車場予約システム。
【請求項６】
前記無線送受信手段は、当該駐車場の複数の車両進入エリアに対して少なくとも１つ以上設置されていることを特徴とする請求項１又は３に記載の駐車場予約システム。
【請求項７】
前記予約情報入力装置若しくは車載リモコンから予約情報を入力する際に、予め登録された認証用ＩＤを入力して駐車スペースの予約を行うことを特徴とする請求項１乃至６の何れか一項に記載の駐車場予約システム。
【請求項８】
予約された駐車スペースを利用する場合は、予約を希望する駐車場にて前記認証用ＩＤを再度入力して本人が確認された場合にのみ利用許可を与えるようにしたことを特徴とする請求項１乃至６の何れか一項に記載の駐車場予約システム。
【請求項９】
前記予約情報入力装置若しくは車載リモコンは、前記回線と接続可能なパーソナルコンピュータ若しくは携帯端末であることを特徴とする請求項１乃至８の何れか一項に記載の駐車場予約システム。
【発明の詳細な説明】
【０００１】
【発明の属する技術分野】
本発明は、駐車場予約システムに関し、更に詳しくは、予約を希望する駐車場に対してリモコン操作により予約を行って駐車スペースを確保する駐車場予約システムに関するものである。
【０００２】
【従来の技術】
宅配業等、自動車によって荷物の配送を行う業者は、路上駐車できない場合には、各配送先（目的地）に近い駐車場を探して駐車し荷捌きを行う。このような利用者の利便を図るために、駐車場に図９に示すような駐車場端末機１８を設置して、当該駐車場への入出場の管理を行ったり、他の駐車場への予約を可能ならしめている。この駐車場端末機１８は、ポール５３により駐車場の所定の位置に固定され、装置本体５０と近隣の駐車場の場所を示す地図や利用方法などが書かれた説明ボード５２とを備えており、装置本体５０は後述する予約情報入力装置６２と駐車制御装置６４から構成されている。また、装置本体５０の前部に非接触ＩＣカードの情報を読み取るＩＣカードリーダライタ５１が備えられている。そして、この駐車場端末機１８が設置されている駐車場内に駐車する場合、運転者は車両から降りて、駐車場の入り口等に配置された駐車場端末機１８の所まで行き、非接触ＩＣカードの情報をＩＣカードリーダライタ５１に読ませることにより、予約の確認をとり入庫の操作をしている。また、出庫する際に次の駐車場の予約を行う場合、再度、ＩＣカードリーダライタ５１に非接触ＩＣカードを挿入した状態で、他の駐車場の端末機と交信して予約操作をする必要があった。このように非接触ＩＣカードを利用した管理、予約システムにおいては、運転席から端末機の操作ができないため操作のたびに乗り降りする必要があり、無駄な労力と時間を費やす必要があった。このように、運転席から端末機の操作ができない最も大きな原因は、非接触ＩＣカードの通信距離が数センチと短く、ＩＣカードリーダ５１に非接触ＩＣカードを近接して操作しなければ、信号の授受が不可能なためである。現在、この課題に対してメートル単位の距離で通信が可能な非接触ＩＣカードが海外で検討されているが、実用化には至っていない。しかも、我が国では、電波法規等による規制によって、その実現は困難である。
【０００３】
そこで、予め駐車場を予約してから利用する従来の駐車場予約システムとして、例えば、特開平６−１９９２９号公報には、移動中の自動車から自動車電話交換網を経由して駐車場の予約が行える移動体駐車場予約システムについて開示されている。この予約システムは、一般電話網に加入している情報提供者が、契約駐車場の所在地、利用料金、営業時間、制限車種などの固定情報と空きスペースの有無、待ち時間などの変動情報とから成る駐車場情報を格納したデータベースと、前記各契約駐車場とオンラインで接続され、前記変動情報を少なくとも一定時間間隔で更新する更新手段と、自動車電話交換網を介して接続される移動体のデータ端末からの要求を受け、前記データベースから指定地域の前記駐車場情報を検索して一覧表形式データとして送信する情報提供手段と、前記データ端末からの予約要求により指定された前記契約駐車場に対して予約を行い、前記データベースの変動情報を更新した後に当該駐車場の詳細位置情報を、前記データ端末に送信する予約手段と、を備えて構成されている。
また、特開２０００−２８５１７２公報には、通信端末による情報センターとの双方向無線通信により、駐車場の所在地を含む駐車場に関する情報をリアルタイムで入手することができる上に、駐車場利用の予約を行なうことができる駐車場予約システムについて開示されている。これによると、駐車場の所在地を含む駐車場に関する情報の提供を要求する要求信号を送信する一方、提供された駐車場情報から、選択した駐車場の利用の予約を申し込む予約申込信号を送信する通信端末と、この通信端末と双方向で無線通信可能に構成され、上記通信端末からの駐車場情報提供の要求信号を受信したときに、その要求に適合した地域の駐車場に関する情報をこの通信端末に提供する一方、上記通信端末からの予約申込信号を受信したときに、その予約申込に対する諾否をこの通信端末に送信する情報センターと、を備えていることを特徴としている。
【特許文献１】特開平６−１９９２９号公報
【特許文献２】特開２０００−２８５１７２公報
【０００４】
【発明が解決しようとする課題】
以上のように、現状の非接触ＩＣカードはリーダライタとの通信距離が電波法規等の規制により数センチ程度と短く、ＩＣカードをリーダライタに近接しなければ使用できないため、現状では駅の自動改札、銀行等の特定の場面にその利用範囲が限定されていた。
また、特開平６−１９９２９号、特開２０００−２８５１７２公報のような従来の駐車場予約システムにあっては、移動中の車内から予約のアクセスが可能であるが、複数の駐車場における満空情報などを収集、提供、中継する集中管理装置を用いる必要があり、この集中管理装置にアクセスして、目的地近くに空きのある駐車場があるか否かを検索したり、その予約を行ったりするため、集中管理装置が必須要件となってシステムが大規模化し、高コストになると共に、間接的にアクセスすることから予約に時間がかかるという問題があった。
本発明は、上記問題に鑑みてなされたものであり、集中管理装置を必要としないで駐車場を予約すると共に、予約操作を車内から行うことができる利便性の高い駐車場予約システムを提供することを目的とする。
【０００５】
【課題を解決するための手段】
上記目的を達成するため、請求項１に記載の発明は、一つの駐車場から他の駐車場に対して予約を行って駐車スペースを確保する駐車場予約システムにおいて、前記各駐車場は、希望する駐車場を指定するための予約情報を入力すると共に他の駐車場における予約の可否を表示する予約情報入力装置と、各駐車スペースの管理を行う駐車制御装置と、前記予約情報入力装置から回線を介して他の駐車場との間で情報の授受を行う通信装置と、前記駐車制御装置によって稼働制御され駐車スペースが予約済みであることを表示する予約表示手段と、を備え、前記予約情報入力装置は、前記駐車場を予約した車両との間で情報の授受を行う無線送受信手段を更に備え、該無線送受信手段若しくは手動入力手段に基づいて入力された予約情報を、前記通信装置と回線を介して指定された他の駐車場の駐車制御装置に送り、駐車スペースの空き状況に基づいて前記駐車制御装置から予約の可否情報を返送すると共に、予約が可能で前記駐車制御装置が予約を受け付けた場合は、前記予約表示手段を稼動させて予約された空き駐車スペースを確保することを特徴とする。
本発明ではこのように、予約情報入力装置から通信装置と回線とを介して、予約を希望する駐車場の駐車制御装置に対して直接予約情報を入力すると、駐車制御装置が各駐車スペースについての管理を行って、予約を希望する駐車場での予約の可否情報を返送し、駐車スペースの予約が可能であり、且つ駐車制御装置が予約を受け付けた場合は、予約表示手段を稼動して予約された空き駐車スペースを確保する。また、予約情報入力装置には無線により予約情報の入力が可能なように無線送受信手段を更に備えている。尚、手動入力手段とは、予約情報入力装置の操作釦から入力される手段を指す。
かかる発明によれば、駐車場の予約が予約情報入力装置と無線送受信手段の両方から可能で、駐車制御装置が予約を受け付けた場合は、予約表示手段を稼動させて、予約された空き駐車スペースを確保するので、利便性が高く、且つ駐車場の予約を確実に迅速に低コストで行うことができ、予約された駐車スペースを確実に確保することができる。
【０００６】
請求項２に記載の発明は、一つの駐車場から他の駐車場に対して予約を行って駐車スペースを確保する駐車場予約システムにおいて、前記各駐車場は、前記駐車場を予約した車両との間で情報の授受を行う無線送受信手段と、各駐車スペースの管理を行う駐車制御装置と、前記無線送受信手段から回線を介して他の駐車場との間で情報の授受を行う通信装置と、を備え、前記無線送受信手段は、前記車両からの情報に基づいて入力された予約情報を、前記通信装置と回線を介して指定された他の駐車場の駐車制御装置に送り、駐車スペースの空き状況に基づいて前記駐車制御装置から予約の可否情報を返送すると共に、予約が可能で前記駐車制御装置が予約を受け付けた場合は、前記予約表示手段を稼動させて予約された空き駐車スペースを確保することを特徴とする。
請求項１では、予約が予約情報入力装置と無線送受信手段の両方から可能であるが、本発明では、無線送受信手段を設置して車両から無線により予約情報を入力できるようにしており、駐車場端末から予約情報入力装置を省いたものである。この構成により駐車場端末の構成が簡略化され、装置のコストを大幅に低下することができる。
かかる発明によれば、無線送受信手段のみで予約情報の入力を可能とする構成にすることにより、利便性を維持しつつ、装置のコストを大幅に低下することができる。
【０００７】
請求項３に記載の発明は、前記車両は、非接触ＩＣカードとの間で情報の授受を行なうＩＣカードリーダライタと、前記駐車場の予約情報若しくは他の情報を入力する操作部と、入力操作の内容を表示する表示部と、前記無線送受信手段との間で情報の授受を行う無線部と、前記全ての制御を司る制御部と、を有する車載リモコンを備え、前記車載リモコンにより所定の操作を行うことにより当該駐車場の予約、若しくは出庫を可能としたことを特徴とする。
車両の中から駐車場の予約や入出庫操作を行うには、利用者の認証情報が保持されている非接触ＩＣカードとの間の情報の授受を行なうＩＣカードリーダライタが必要である。また、駐車場端末とのデータ授受を無線で行なう無線送受信機と、その情報を表示する表示部と、予約情報等を入力する操作釦等で構成された操作部と、これら全てを制御する制御部が必要である。
かかる発明によれば、車両にリモコン操作可能な車載リモコンを備えることにより、車両に乗ったままで操作が可能となり、操作性と利便性の両方を実現することができる。
請求項４に記載の発明は、前記車載リモコンは、微弱無線、赤外線、及び特定小電力無線の何れかにより情報の授受を行うことを特徴とする。
現在の電波法の規定により無闇に大きな出力の電波を発射することはできない。そのため、リモコンから発射される電波は、交信距離が１０メートル以内の微弱無線、或いは赤外線による有視界交信、若しくはトランシーバ等に適用される特定小電力無線に限られる。
かかる発明によれば、リモコンで使用する無線を、微弱無線、赤外線、及び特定小電力無線に限定するので、リモコン使用のための免許が不必要であり、誰でも使用することができる。
請求項５に記載の発明は、前記無線送受信手段は、当該駐車場の車両進入エリア毎に個別に設置されていることを特徴とする。
運転者が車両からリモコンを操作する場合、そのリモコンを何処に向けて操作すればよいのか迷う場合がある。このような時、各駐車場の車両進入エリア毎に無線送受信手段が個別に設置されていれば、迷うことは少ない。
かかる発明によれば、各駐車場の車両進入エリア毎に無線送受信手段が個別に設置されているので、操作方向を迷うことがなく、確実に操作することができる。
【０００８】
請求項６に記載の発明は、前記無線送受信手段は、当該駐車場の複数の車両進入エリアに対して少なくとも１つ以上設置されていることを特徴とする。
駐車場の車両進入エリアは車両の幅より若干広い程度である。従って、電波の指向性を少し広くすれば、各車両進入エリア毎に無線送受信手段を設置する必要はない。そこで、複数の車両進入エリアに対して１つ設置しても、電波を受信することは可能である。
かかる発明によれば、無線送受信手段が複数の車両進入エリアに対して少なくとも１つ以上設置されているので、駐車場システムの設備コストを低減することができる。
請求項７に記載の発明は、前記予約情報入力装置若しくは車載リモコンから予約情報を入力する際に、予め登録された認証用ＩＤを入力して駐車スペースの予約を行うことを特徴とする。
本発明の予約システムを利用できる利用者は、予め会員登録をして認証用のＩＤを付与される必要がある。従って、この認証用のＩＤを所持する会員以外はこのシステムを利用することはできない。
かかる発明によれば、予約情報入力装置若しくは車載リモコンから予約情報を入力する際に、予め登録された認証用ＩＤを入力して駐車スペースの予約を行うので、予約者が会員であることを正確に判別して駐車スペースを予約させることができる。
請求項８に記載の発明は、予約された駐車スペースを利用する場合は、予約を希望する駐車場にて前記認証用ＩＤを再度入力して本人が確認された場合にのみ利用許可を与えるようにしたことを特徴とする。
かかる発明によれば、予約情報入力装置から予約情報を入力する際に、認証用ＩＤを入力して駐車スペースを予約し、駐車スペースを実際に利用する時は、希望する駐車場で認証用ＩＤを再度入力して、本人であると確認された場合のみ利用を許可するようにしたため、予約者であることを正確に判別して駐車スペースを利用させることができる。
請求項９に記載の発明は、前記予約情報入力装置若しくは車載リモコンは、前記回線と接続可能なパーソナルコンピュータ若しくは携帯端末であることを特徴とする。
かかる発明によれば、予約情報入力装置若しくは車載リモコンは、駐車場に配置したものだけでなく、回線と接続可能なパーソナルコンピュータや携帯端末であっても良いため、事業所や自宅、あるいは、移動中の車両の中からでも駐車場の予約を手軽に行うことができる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。本実施形態では、各駐車スペース毎に車輪をロックするロック板が配置されたパークロック装置を用いた無人の駐車場における駐車場予約システムを例にあげて説明する。
図１は、本発明の第１の実施形態に係る駐車場予約システムの概略ブロック図である。本実施形態の駐車場予約システムは、図示しない非接触ＩＣカードとの間で情報の授受を行なうＩＣカードリーダライタ１、駐車場の予約情報や入出庫情報を入力する操作部２、前記予約情報や入出庫情報の内容を表示する表示部４、無線送受信手段との情報の送受信を行う無線部６、これら全ての制御を司る制御部３、及びアンテナ５を有する車載リモコン１００と、この車載リモコン１００との間で情報の授受を行なう無線部７、そこに設置されたアンテナ８、及び無線部７の制御と駐車場端末機との情報の制御を司る制御部９を有する無線送受信装置１１０と、予約情報入力装置、駐車制御装置、通信装置、及び予約表示手段を備えた駐車場端末機１０（詳細は後述する）と、から構成されている。尚、図示を省略しているが、車載リモコン１００の電源は、電池あるいは車載バッテリから供給される。
図２は、本発明の第２の実施形態に係る駐車場予約システムの概略ブロック図である。図２が図１と異なる点は、駐車場端末機１２（詳細は後述する）の構成要素中から予約情報入力装置を省略した点である。つまり、予約情報の入力及び出庫操作は車載リモコン１００の操作部２のみから行うものである。これにより、駐車場端末機１２の構成が簡略化され、装置コストを安くすることができる。
【００１０】
次に、図１を参照して第１の実施形態の動作概要について説明する。車載リモコン１００は、例えば車両内部の前方で、車内から電波を送受信可能な位置に設置される。そして、予め駐車場を予約した車両が駐車場の予約駐車スペースに到着すると、車内からＩＣカードリーダライタ１に図示を省略する非接触ＩＣカードをかざす。すると、非接触ＩＣカードの記録情報はＩＣカードリーダライタ１により読み込まれ、認証用ＩＤ等の必要な情報が無線部６により変調されて、電波としてアンテナ５を介して無線送受信装置１１０に送信される。無線送受信装置１１０では、その情報をアンテナ８で受信し、制御部９でデジタル信号に復調して駐車場端末機１０に送る。駐車場端末機１０では駐車制御装置により認証用ＩＤが確認されて、駐車スペースが予約した本人である場合には、ゲート或いは駐車表示装置を解除して駐車を許可する。この時点から駐車料金の課金が開始される。
また、出庫する場合は、入庫と同様にして車載リモコン１００から出庫する旨の情報を送り、ロック板が解除されて出庫が可能となる。この時点で駐車料金の課金を停止する。また、次の駐車場を予約する場合は、車載リモコン１００の予約操作部２により予約操作をして、その情報を無線送受信装置１１０に送って、駐車場端末機１０が回線１１を介して他の駐車場の駐車場端末機と接続して予約状況の通信を行う（詳細は後述する）。
図３（ａ）は、本発明の車載リモコン１００の一例の外観構成を示す斜視図である。同じ構成要素には同じ参照番号が付されている。車載リモコン１００は、希望する駐車場を指定するための予約情報を入力すると共に、入出庫操作を行う操作部２と、予約情報や入出庫操作の操作内容を表示する表示部４から構成され、さらに、本実施形態では、常時駐車場を利用する者（特に、予約利用者）に対して予め認証用ＩＤが登録されたＩＣカード１２を付与し、予約利用時等にＩＣカードを使うことで本人確認や駐車料金の精算等をカードだけで行えるようにしている。このため、車載リモコン１００の頂部には、ＩＣカードを挿入するスロット１３を備えたＩＣカードリーダライタ１が設置されている。また、図示しないが内部にアンテナ５、制御部３及び無線部６が収納されている。
また、図３（ｂ）の操作部２には、予約情報等を駐車場端末機に送信する送信キー２ａ，表示部４の表示画面から選択するための４つの選択キー２ｂ、選択された画面を決定する決定キー２ｃ、表示画面を元に戻す戻しキー２ｄ，及び電源のＯＮ／ＯＦＦとモードを切り替えるパワー／モードキー２ｅが備えられている。
【００１１】
図４は、本発明の車載リモコン１００を使用して操作した場合の、（ａ）は入庫操作のフローチャートを示し、（ｂ）は予約操作のフローチャートである。図３の車載リモコン１００を参照しながら動作を説明する。まず、入庫操作時は予約済みの駐車場に到達すると、運転者は車載リモコン１００のパワー／モードキー２ｅを所定の時間長押しして電源をＯＮにして、ＩＣカード１２をスロット１３に挿入する。（或いは、予めＯＮにしてＩＣカード１２をスロット１３に挿入しておく。）さらに、同じキーを押して入庫モードを選択する（Ｓ１）。次に、送信キー２ａをおして、情報を端末装置に送信する（Ｓ２）。端末装置はＩＣカード１２の認証を確認して（Ｓ３）、認証がＮＧであれば表示部に「認証できません」の表示か、或いは音で知らせる（Ｓ４）。また、何らかの原因で通信が成立しなくてタイムアウトになった場合は（Ｓ７）、表示部に「入庫モード応答がありません。もう１度送信キーを押してください。」の表示か、或いは音で知らせる。この場合は、ステップＳ２に戻り再度送信キー２ａを押す（Ｓ８）。ステップＳ３で認証がＯＫであれば（Ｓ５）、ゲートをオープンして入庫を許可する（Ｓ６）。
次に、予約操作時の動作について、図４（ｂ）のフローチャートを参照して説明する。まず、次の駐車場を予約する場合、運転者は車載リモコン１００のパワー／モードキー２ｅを所定の時間長押しして電源をＯＮにして、ＩＣカード１２をスロット１３に挿入する。（或いは、予めＯＮにしてＩＣカード１２をスロット１３に挿入しておく。）さらに、同じキーを押して予約モードを選択する（Ｓ１０）。次に表示部４に表示された内容から「予約をする」を選択する（Ｓ１１）。選択されると駐車場端末機から周辺駐車場情報を受け取り、表示部４に表示する（Ｓ１２）。表示された駐車場から希望する駐車場を選択する（Ｓ１３）。次にその駐車場でよければ決定キー２ｃを押す（Ｓ１４）。すると、表示部４に「駐車場を予約します。送信キーを押してください。」の表示が表示され、送信キー２ａを押す（Ｓ１５）。予約が完了するまで所定の時間があり（Ｓ１６）、予約が完了すると表示部４に「駐車場を予約しました。」の表示がされて予約を完了する（Ｓ１７）。
尚、この他、車載リモコン１００により予約の確認、カード情報の確認、及び出庫操作を行うことができる。
【００１２】
図５は、本発明の実施形態に係る駐車場予約システムの概略構成図である。図５の駐車場予約システムは、車道１５に隣接した駐車場Ａ１４と、車道１７に隣接した駐車場Ｂ１６などがあり、駐車場Ａ１４と駐車場Ｂ１６には、駐車場の予約に必要な情報を入力したり、希望する駐車場の予約の可否を表示する予約情報入力装置と、各駐車スペースの管理と制御を行う駐車制御装置とがそれぞれ組み込まれた駐車場端末機１８、２０がそれぞれ配置されている。この駐車場端末機１８と２０には、データのやり取りを行う通信装置がさらに設けられ、駐車場端末機１８、２０の相互間は、回線網２２を介して接続されている。ここでは、回線網２２として、一般公衆電話回線網を用いたが、専用回線、ＬＡＮ、インターネットなど種々の通信回線を用いることができる。
そして、例えば、駐車場Ａ１４には、３台分の駐車スペース２４、２６、２８が用意され、各駐車スペース毎に、車輪をロックするロック板２４ａ、２６ａ、２８ａと、車両を検知するセンサや駐車料金の精算を行う精算機２４ｂ、２６ｂ、２８ｂと、予約時に駐車スペースを確保して、予約されていることを表示する予約表示装置２４ｃ、２６ｃ、２８ｃと、車載リモコンからの情報を受信する無線送受信装置２４ｄ、２６ｄ、２８ｄが配置され、駐車スペース２４が既に予約されて予約表示装置２４ｃが起立している。
また、駐車場Ｂ１６には、３台分の駐車スペース３０、３２、３４が用意され、各駐車スペース毎に、車輪をロックするロック板３０ａ、３２ａ、３４ａと、車両を検知するセンサや駐車料金の精算を行う精算機３０ｂ、３２ｂ、３４ｂと、予約時に駐車スペースを確保して、予約されていることを表示する予約表示装置３０ｃ、３２ｃ、３４ｃと、車載リモコンからの情報を受信する無線送受信装置３０ｄ、３２ｄ、３４ｄが配置され、駐車スペース３０が既に予約されて予約表示装置３０ｃが起立している。なお、図５では図示していないが、回線網２２を介して上記以外の駐車場の駐車場端末機との間も接続されており、相互にデータをやり取りすることができる。
【００１３】
図６は、図５の駐車場Ａ１４の一部を拡大した詳細図であり、同じ構成要素には同じ参照番号が付されており、重複する説明は省略する。ここで、図示は省略するが、精算機２４ｂや２６ｂには無線送受信装置２４ｄ、２６ｄが内蔵され、アンテナ２４ｅ、２６ｅにより車両からの電波を受信できるようになっている。図６に示すように、例えば、駐車スペース２６の予約表示装置２６ｃのように、駐車スペースが予約されていなければ、予約表示装置２６ｃのポール２６ｆが床面に倒れた状態で車の入庫を待っていて、駐車スペースが予約されると、駐車スペース２４の予約表示装置２４ｃのようにポール２４ｆが起立して、この駐車スペース２４が既に予約されていることを表示する。そして、予約車両から車載リモコンにより無線送受信装置２４ｄ、２６ｄに認証用ＩＤを送信して、ポール２４ｆを床面に倒して入庫する。また、出庫する際には予め登録した認証用ＩＤを所有する車両の場合は、車載リモコンから無線により無線送受信装置２４ｄ、２６ｄと交信して精算が可能であり、それ以外の車両は精算機２４ｂや２６ｂで駐車料金を精算すると、ロック板２４ａ、２６ａが下がって車輪のロックが解除され、車を出すことができる。あるいは、車載リモコン若しくは駐車スペースの近くに配置された駐車場端末機１８を使って、入出庫操作を行ったり、次の駐車場の予約を行うことができる。
【００１４】
図７は、図１の本発明の第１の実施形態に係る駐車場予約システムの構成をより詳細に説明するブロック図である。図７では、駐車場Ｃの駐車場端末機８０がさらに図示されており、各駐車場端末機１８、２０、８０に内蔵され、回線網２２を介してデータのやり取りを行う通信装置６０、７０、９０が明示されている。図７に示すように、駐車場ＡからＣの駐車スペースの数は異なっていても、駐車場端末機１８、２０、８０と、それに付随する精算機、ロック板、及び予約表示装置は略同様に構成されたものが用いられている。
通常、荷物の配送業務を行う車両などは、各配送先（目的地）に近い駐車場を探して駐車し、荷捌きを行う必要があるため、現在使用している駐車場の予約情報入力装置（例えば、駐車場Ａの６２）或いは無線送受信装置２４ｄ、２６ｄから受信した車載リモコンからの予約情報により次の駐車場の予約（例えば、駐車場Ｂの予約）が行われるが、図７に示すように、パーソナルコンピュータ９６や移動通信端末（携帯電話、ＰＨＳ、モバイル端末等）９８を回線網２２に接続して、ここから次の駐車場の予約を行うことも可能である。その場合には、パーソナルコンピュータ９６や移動通信端末９８が予約情報入力装置となる。
図８は、図２の本発明の第２の実施形態に係る駐車場予約システムの構成をより詳細に説明するブロック図である。図８が図７と異なる点は、駐車場端末機１８、２０、８０の予約情報入力装置６２、７２、９２が省略されている点である。予約情報入力装置６２、７２、９２に代えて例えば、駐車場Ａの場合、図３の車載リモコンから無線送受信装置２４ｄ、２６ｄに予約情報を送信して予約情報入力装置６２と同様の操作を行うことができる。
【００１５】
【発明の効果】
以上説明したように、請求項１記載の発明によれば、予約が予約情報入力装置と無線送受信手段の両方から可能で、駐車制御装置が予約を受け付けた場合は、予約表示手段を稼動させて、予約された空き駐車スペースを確保するので、利便性が高く、且つ駐車場の予約を確実に迅速に低コストで行うことができ、予約された駐車スペースを確実に確保することができる。
請求項２に記載の発明によれば、無線送受信手段のみで予約情報の入力を可能とする構成にすることにより、車内から予約が可能となり利便性を維持しつつ、装置のコストを大幅に低下することができる。
請求項３に記載の発明によれば、車両にリモコン操作可能な車載リモコンを備えることにより、車両に乗ったままで操作が可能となり、操作性と利便性の両方を実現することができる。
請求項４に記載の発明によれば、リモコンで使用する無線が、微弱無線、赤外線、及び特定小電力無線に限定するので、リモコン使用のための免許が不必要であり、誰でも使用することができる。
請求項５に記載の発明によれば、各駐車場の車両進入エリア毎に無線送受信手段が個別に設置されているので、操作方向を迷うことがなくなり確実に操作することができる。
請求項６に記載の発明によれば、無線送受信手段が複数の車両進入エリアに対して少なくとも１つ以上設置されているので、駐車場システムの設備コストを低減することができる。
請求項７に記載の発明によれば、予約情報入力装置若しくは車載リモコンから予約情報を入力する際に、予め登録された認証用ＩＤを入力して駐車スペースの予約を行うので、予約者が会員であることを正確に判別して駐車スペースを予約させることができる。
請求項８に記載の発明によれば、予約情報入力装置若しくは車載リモコンから予約情報を入力する際に、認証用ＩＤを入力して駐車スペースを予約し、駐車スペースを実際に利用する時は、希望する駐車場で認証用ＩＤを再度入力して、本人であると確認された場合のみ利用を許可するようにしたため、予約者であることを正確に判別して駐車スペースを利用させることができる。
請求項９に記載の発明によれば、予約情報入力装置若しくは車載リモコンは、駐車場に配置したものだけでなく、回線と接続可能なパーソナルコンピュータや携帯端末であっても良いため、事業所や自宅、あるいは、移動中の車両の中からでも駐車場の予約を手軽に行うことができる。
【図面の簡単な説明】
【図１】本発明の第１の実施形態に係る駐車場予約システムの概略ブロック図である。
【図２】本発明の第２の実施形態に係る駐車場予約システムの概略ブロック図である。
【図３】本発明の車載リモコン１００の一例を示す図である。
【図４】本発明の入庫操作及び予約操作の動作フローチャートである。
【図５】本発明の実施形態に係る駐車場予約システムの概略構成図である。
【図６】図４の駐車場Ａ１４の一部を拡大した詳細図である。
【図７】本発明の第１の実施形態に係る駐車場予約システムの構成をより詳細に説明するブロック図である。
【図８】本発明の第２の実施形態に係る駐車場予約システムの構成をより詳細に説明するブロック図である。
【図９】従来の駐車場端末機の外観構成図である。
【符号の説明】
１　ＩＣカードリーダライタ、２　操作部、３、９　制御部、４　表示部、５、８　アンテナ、６、７　無線部、１０　駐車場端末機、１１　回線、１００　車載リモコン、１１０　無線送受信装置
【図１】
2004127137.tif 000003
【図２】
2004127137.tif 000004
【図３】
2004127137.tif 000005
【図４】
2004127137.tif 000006
【図５】
2004127137.tif 000007
【図６】
2004127137.tif 000008
【図７】
2004127137.tif 000009
【図８】
2004127137.tif 000010
【図９】
2004127137.tif 000011